(57)【特許請求の範囲】
【請求項１】
底部外面にリールギアが形成されるとともに、該リールギアの径方向内側に金属製のリールプレートが取り付けられた有底円筒状の樹脂製のハブを有し、該ハブの外周面に記録テープが巻回されたリールと、
前記リールを単一で回転可能に収容するケースと、
前記ケースに対して回転不能とされるとともに前記ハブ内に設けられ、不使用時に、該ハブの底部内面に形成された係合部と係合して、前記リールの回転を阻止する制動部材と、
前記ハブの底部内面と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する樹脂製の解除部材と、
前記ハブの底部外面に周方向に等間隔で３個形成され、樹脂材の注入口とされたゲート跡と、
前記ゲート跡と平面視で重なるように、前記ハブの底部内面に周方向に等間隔で３個形成され、前記解除部材の高さを規定する凸部と、
を有することを特徴とする記録テープカートリッジ。
【請求項２】
底部外面にリールギアが形成されるとともに、該リールギアの径方向内側に金属製のリールプレートが取り付けられた有底円筒状の樹脂製のハブを有し、該ハブの外周面に記録テープが巻回されたリールと、
前記リールを単一で回転可能に収容するケースと、
前記ケースに対して回転不能とされるとともに前記ハブ内に設けられ、不使用時に、該ハブの底部内面に形成された係合部と係合して、前記リールの回転を阻止する制動部材と、
前記ハブの底部内面と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する樹脂製の解除部材と、
前記ハブの底部内面における回転中心に１つだけ形成され、樹脂材の注入口とされたゲート跡と、
前記ハブの底部内面における前記ゲート跡の周囲に、前記ハブと同軸の環状に形成され、前記解除部材の高さを規定する凸部と、
を有することを特徴とする記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジには、不使用時において、リールがケース内で回転しないように、制動手段が備えられている。
【０００３】
すなわち、リールは、有底円筒状に形成されたリールハブを備えており、そのリールハブ内に制動手段としての制動部材が、ケースに対して回転不能に、かつ下方に向けて付勢された状態で設けられている。この制動部材は樹脂材で成形され、その下面には制動ギアが形成されており、この制動ギアがリールハブの底部上面に形成されている係合ギアと噛合することで、リールの回転を阻止するようになっている。
【０００４】
また、そのリールハブの底部上面と制動部材との間には、樹脂材で成形された平面視略正三角形状の解除部材が設けられており、この解除部材の上面中央に制動部材の下面中央が当接するようになっている。そして、この解除部材の各頂点部分には、リールハブの底部下面に形成されたリールギア上に穿設された貫通孔に挿通されて、リールハブの底部下面から所定高さ突出する脚部が突設されている。
【０００５】
したがって、記録テープカートリッジがドライブ装置に装填されると、ドライブ装置の回転シャフトに形成されている駆動ギアがリールギアに噛合する動作に伴って、その解除部材（脚部）を介して制動部材が押し上げられ、係合ギアに対する制動ギアの噛合が解除される。これにより、リールの回転が許容され、解除部材はリールと共に回転する（例えば、特許文献１参照）。
【特許文献１】特開２００３−８５９３０号公報
【発明の開示】
【発明が解決しようとする課題】
【０００６】
このような構成の記録テープカートリッジにおいて、リールギアの径方向内側には、金属製のリールプレートがインサート成形等によって固着されている。したがって、リールハブの底部上面は、成形（冷却）時の樹脂収縮により、平面性が良好とならない懸念がある。リールハブの底部上面の平面性が良好にならないと、記録テープカートリッジの組立時において、その底部上面に設ける解除部材の安定性（平面性）が確保し難くなり、その解除部材の上面に設ける制動部材の安定性（平面性）が確保し難くなるため、組立後に制動部材が正確に上下動し難くなる不具合が生じる。
【０００７】
そこで、本発明は、上記事情に鑑み、ハブ内に設ける解除部材（制動部材）の安定性を確保できる記録テープカートリッジを得ることを目的とする。
【課題を解決するための手段】
【０００８】
上記の目的を達成するために、本発明に係る請求項１に記載の記録テープカートリッジは、底部外面にリールギアが形成されるとともに、該リールギアの径方向内側に金属製のリールプレートが取り付けられた有底円筒状の樹脂製のハブを有し、該ハブの外周面に記録テープが巻回されたリールと、前記リールを単一で回転可能に収容するケースと、前記ケースに対して回転不能とされるとともに前記ハブ内に設けられ、不使用時に、該ハブの底部内面に形成された係合部と係合して、前記リールの回転を阻止する制動部材と、前記ハブの底部内面と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する樹脂製の解除部材と、前記ハブの底部外面に周方向に等間隔で３個形成され、樹脂材の注入口とされたゲート跡と、前記ゲート跡と平面視で重なるように、前記ハブの底部内面に周方向に等間隔で３個形成され、前記解除部材の高さを規定する凸部と、を有することを特徴としている。
【０００９】
請求項１に記載の発明によれば、ハブの底部内面に、解除部材の高さを規定する凸部を周方向に等間隔で３個形成したので、ハブの底部内面に設ける解除部材の安定性を良好に確保することができる。
【００１０】
したがって、組立時において、解除部材の上に設ける制動部材の安定性を確保することができ、組立後において、制動部材を正確に上下動させることができる。
【００１１】
また、ゲートの反対側（裏側）に凸部が形成されるので、成形時において、樹脂材の流動性を向上させることができるとともに、その凸部の成形が容易にできる。
【００１２】
また、本発明に係る請求項２に記載の記録テープカートリッジは、底部外面にリールギアが形成されるとともに、該リールギアの径方向内側に金属製のリールプレートが取り付けられた有底円筒状の樹脂製のハブを有し、該ハブの外周面に記録テープが巻回されたリールと、前記リールを単一で回転可能に収容するケースと、前記ケースに対して回転不能とされるとともに前記ハブ内に設けられ、不使用時に、該ハブの底部内面に形成された係合部と係合して、前記リールの回転を阻止する制動部材と、前記ハブの底部内面と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する樹脂製の解除部材と、前記ハブの底部内面における回転中心に１つだけ形成され、樹脂材の注入口とされたゲート跡と、前記ハブの底部内面における前記ゲート跡の周囲に、前記ハブと同軸の環状に形成され、前記解除部材の高さを規定する凸部と、を有することを特徴としている。
【００１３】
請求項２に記載の発明によれば、ハブの底部内面における回転中心に１つだけ形成されたゲート跡の周囲に、解除部材の高さを規定する凸部をハブと同軸の環状に形成したので、ハブの底部内面に設ける解除部材の安定性を良好に確保することができる。
【００１４】
したがって、組立時において、解除部材の上に設ける制動部材の安定性を確保することができ、組立後において、制動部材を正確に上下動させることができる。
【００１５】
また、リールプレートの中心にゲートを避けるための貫通孔を形成しなくて済むので、成形時において、リールプレートの中心に貫通孔が形成されているものに比べて、ハブの底部内面の平面性を向上させることができる。
【発明の効果】
【００２０】
以上のように、本発明によれば、ハブ内に設ける解除部材（制動部材）の安定性を確保できる記録テープカートリッジを提供することができる。
【発明を実施するための最良の形態】
【００２１】
以下、本発明の最良な実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００２２】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やネジ止め等によって接合されて構成されている。
【００２３】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２４】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００２５】
また、底壁２８の下面におけるリールギア４４の径方向内側には、磁性材料でできた環状金属板であるリールプレート４６が、インサート成形により、同軸的かつ一体的に固着されている。すなわち、図５、図６で示すように、リールプレート４６には、下面側が上面側よりも大径となるような段差部４７Ａを内壁に有する小孔４７が複数（図示のものは３個）形成されており、金型での成形時に、その段差部４７Ａに樹脂材が回り込んで固化することにより、リールプレート４６が底壁２８の下面に固着されるようになっている。そして、このリールプレート４６が、ドライブ装置の回転シャフトに設けられた環状のマグネット（図示省略）の磁力によって吸着・保持されるようになっている。
【００２６】
また、このリール２０では、リールハブ２２と下フランジ２６が金型によって一体成形されるが、その成形時における樹脂材の注入口となるゲート（ゲート跡Ｇ）は、リールプレート４６を固着するための小孔４７とされている。つまり、このリールハブ２２と下フランジ２６は、いわゆる３点ゲートで成形されるようになっている。また、このリール２０は、不使用時において、上ケース１４及び下ケース１６の内面にそれぞれ部分的に突設されて、ギア開口４０と同軸的な円形の軌跡上にある内壁としての遊動規制壁４２によってガタつかないように保持されるようになっている。
【００２７】
更に、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２８】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２９】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００３０】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００３１】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００３２】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００３３】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３４】
また、図２、図３で示すように、ケース１２の左後部には、記録テープＴへの記録可・不可が設定されるライトプロテクト７０が左右方向にスライド可能に設けられており、ケース１２の後壁には、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３５】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようにしている。なお、この突部７４は下ケース１６の下面から突出することはない。
【００３６】
また、図４、図６で示すように、リールハブ２２の底壁２８の上面周縁には、２個１組とされた係合ギア４８が所定の間隙を隔てて（等間隔に）複数（例えば１２０度間隔で３組）立設されており、その係合ギア４８の間で、リールギア４４上となる所定位置には、貫通孔２９が複数（この場合は１２０度間隔で３個）穿設されている。そして、リールハブ２２の内周面２２Ａには、上下方向が長手方向とされた複数の立リブ２３が、等間隔に複数形成されている。
【００３７】
また、リールハブ２２の内部には、樹脂材で成形された円板状の制動部材８０が設けられる。図２、図３で示すように、制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。なお、その際、制動部材８０は、立リブ２３によって径方向の移動が規制されるようになっている。
【００３８】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３９】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００４０】
また、リールハブ２２の内部で、かつ制動部材８０の下側（底壁２８と制動部材８０との間）には、樹脂材で成形された平面視略正三角形状の解除部材９０が設けられる。解除部材９０には、図７で詳細に示すように、適宜位置に所定の形状とされた貫通孔９２が複数（図示のものは六角形状とされて３つ）穿設されており、解除部材９０の軽量化が図られている。
【００４１】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減されるようになっている。
【００４２】
なお、制動部材８０の材質としては、例えばポリアセタール（ＰＯＭ）が用いられ、解除部材９０の材質としては、例えばポリブチレンテレフタレート（ＰＢＴ）が用いられる。また、解除部材９０には、圧縮コイルスプリング９８の付勢力により、制動部材８０側から、例えば４．２Ｎの荷重が掛けられている。
【００４３】
また、解除部材９０の下面で、かつ各頂点部分には、貫通孔２９に挿通されて底壁２８の下面（外面）からリールギア４４上に所定高さ突出する脚部９４が突設されている。図７で示すように、解除部材９０の脚部９４は、リールハブ２２の内周面２２Ａ（図６（Ａ）参照）に対向する外周面９４Ａ側が平面とされた平面視略「Ｄ」字状に形成されている。そして、その脚部９４が挿通される貫通孔２９も、リールハブ２２の内周面２２Ａ側である外周部２９Ａが直線状とされた平面視略「Ｄ」字状に形成されている。
【００４４】
このような構成にすると、リールハブ２２の肉厚を内側（リールハブ２２の中心）に向かって厚く成形することが可能となるため、リールハブ２２の剛性を確保することが可能となり、解除部材９０を有する記録テープカートリッジ１０でも、記録容量の高容量化に対応することができる。
【００４５】
なお、リールハブ２２の肉厚を厚くしても、平面視でリールハブ２２の内周面２２Ａと貫通孔２９（外周部２９Ａ）との間には多少のマージンＭ（図６（Ａ）参照）が形成されることが望ましい。このような構成にすれば、解除部材９０をリールハブ２２内に設けるときの組立適性が確保される。
【００４６】
また、脚部９４及び貫通孔２９を、このような平面視略「Ｄ」字状に形成しても、その脚部９４の内周面９４Ｂ及び貫通孔２９の内周部２９Ｂは、平面視で、今まで通りの曲率半径とされた円弧面（曲面）のままなので、金型の加工が容易にでき、成形性（樹脂材の流動性）が損なわれる不具合もない。
【００４７】
このような構成の記録テープカートリッジ１０において、次に解除部材９０の高さを規定する第１実施例の凸部２５について説明する。図４〜図６で示すように、解除部材９０が設けられるリールハブ２２の底壁（底部）２８の上面（内面）には、解除部材９０の高さ（貫通孔２９から突出する脚部９４の長さ）を規定する凸部２５が、周方向に所定の間隔を隔てて（等間隔に）複数（図示のものは３個）形成されている。
【００４８】
つまり、解除部材９０は、この凸部２５により所定の高さ位置に支持され、その下面と底壁２８の上面との間には、所定の間隙Ｓが形成されるようになっている（図５参照）。なお、解除部材９０の支持高さは、この凸部２５の突出高さを調整することにより精度よく設定可能であり、凸部２５の高さ、即ち間隙Ｓは、Ｓ＝０．１ｍｍ以上とされることが望ましい。また、この凸部２５は、ゲート跡Ｇ（ゲート）である小孔４７の裏面側、即ち底壁２８の上面で、かつ平面視で小孔４７に重なる部位に突設されている（図６参照）。
【００４９】
つまり、図示のリールハブ２２及び下フランジ２６は、ゲート跡Ｇが等間隔に３個形成される、いわゆる３点ゲートで成形されているため、凸部２５も等間隔に３個形成されている。このように、凸部２５が少なくとも３個（等間隔に）形成されていると、平面を規定できるので望ましいが、凸部２５の数量は、３個に限定されるものではない。また、この凸部２５は、上面が平面形状とされていれば、図示の平面視略矩形状（長方形状）に限定されるものではなく、例えば平面視円形状等に形成されていてもよい。
【００５０】
以上のような構成のリール２０を備えた記録テープカートリッジ１０において、次に、その作用について説明する。記録テープカートリッジ１０では、不使用時（保管時や運搬時等）には、開口１８がドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００５１】
また、解除部材９０は、その脚部９４をリールギア４４上の貫通孔２９から底壁２８の下面（外面）側へ突出させている。このとき、解除部材９０は、周方向に等間隔に配設された凸部２５により、その高さが所定高さに規定されている。つまり、この解除部材９０は、その下面と底壁２８の上面（内面）との間に、所定の間隙Ｓが形成されるように、凸部２５によって支持されている。したがって、解除部材９０が支持する制動部材８０の高さ位置も規定され、制動ギア８４と係合ギア４８は正確に噛合されている。
【００５２】
さて、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００５３】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００５４】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００５５】
このとき、解除部材９０の高さ位置が凸部２５によって規定されているため、脚部９４の貫通孔２９からの突出量も所定量に規定されている。そのため、回転シャフトの駆動ギアとリールギア４４とが噛合することによって押し上げられる解除部材９０の上昇量も規定され、これによって、係合ギア４８から制動ギア８４が確実に離隔できる（噛合が解除される）ようになっている。
【００５６】
こうして、制動ギア８４と係合ギア４８との噛合が完全に解除され、駆動ギアとリールギア４４とが完全に噛合した状態で、リールプレート４６が、駆動ギアの径方向内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５７】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５８】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５９】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００６０】
すると、圧縮コイルスプリング９８の付勢力により、制動部材８０及び解除部材９０が下方に向かって押圧され、脚部９４が貫通孔２９に挿通されて底壁２８の下面（外面）からリールギア４４上に所定量突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００６１】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００６２】
ここで更に、第１実施例の凸部２５が形成されたリール２０の作用について説明する。このリール２０の底壁２８の上面（内面）には、解除部材９０の高さを規定する凸部２５が形成されている。したがって、記録テープカートリッジ１０の組立時において、リールハブ２２の底壁２８の上面（内面）に設ける解除部材９０の装着安定性を確保することができる。そして、これにより、解除部材９０の上面に設ける制動部材８０の装着安定性を確保することができるので、記録テープカートリッジ１０の組立後において、その制動部材８０を正確に上下動させることができる。
【００６３】
また、その凸部２５は、ゲート（ゲート跡Ｇ）の反対側（裏側）に形成される。ここで、ゲート（ゲート跡Ｇ）の直上は、ゲートから注入された樹脂材の圧力により盛り上がりやすい部位である。したがって、このゲート（ゲート跡Ｇ）の直上における底壁２８の上面に凸部２５を形成することにより、成形時において、樹脂材の流動性を向上できるとともに、その凸部２５の成形が容易にできる。また、その凸部２５は、少なくとも３個（等間隔に）形成されているので、記録テープカートリッジ１０の組立時において、リールハブ２２の底壁２８の上面に設けられる解除部材９０の安定性を良好に確保することができる。
【００６４】
次に、解除部材９０の高さを規定する第２実施例の凸部２７について説明する。なお、上記第１実施例と同等の部位には同じ符号を付して詳細な説明（共通の作用も含む）は省略する。図８、図９で示すように、このリール２０では、リールハブ２２と下フランジ２６を一体成形するためのゲート（ゲート跡Ｇ）が、底壁（底部）２８の下面（外面）の中央とされている。
【００６５】
ここで、通常、ゲート跡Ｇは盛り上がって形成されるため、ゲート跡Ｇの周囲は、底面視円形状の凹部２８Ａとされて、そのゲート跡Ｇが底壁２８の下面から突出しないようになっている。また、解除部材９０のゲート（ゲート跡Ｇ）は、図３、図７で示すように、下面中央に形成され、そのゲート跡Ｇの周囲には、ゲート跡Ｇが下面から突出しないように、底面視円形状の凹部９５が形成されている。
【００６６】
したがって、図８、図９で示すように、凸部２７は、底壁（底部）２８の上面（内面）の中央に、リール２０の回転中心と同軸の環状で、かつ解除部材９０のゲート（ゲート跡Ｇ）、即ち凹部９５を避けた位置に形成されている。つまり、この凸部２７は、ゲート（ゲート跡Ｇ）から注入された樹脂材の流動性を向上させるために、ゲート（ゲート跡Ｇ）の周囲近傍で、かつ解除部材９０の凹部９５の周辺における下面を支持できるような内径Ｒの環状に形成されている。
【００６７】
よって、この場合も、上記第１実施例と同様に、記録テープカートリッジ１０の組立時において、リールハブ２２の底壁２８の上面に設けられる解除部材９０の安定性を確保することができる。なお、この凸部２７の高さ、即ち解除部材９０の下面と底壁２８の上面との間にできる間隙Ｓは、上記第１実施例と同等である。そして、この第２実施例の場合も、解除部材９０の支持高さは、凸部２７の突出高さを調整することにより精度よく設定可能である。
【００６８】
また、この凸部２７の形状は、図示のような連続した環状に限定されるものではなく、例えば断続的な略環状に形成されていてもよい。但し、凸部２７が連続した環状に形成されていると、記録テープカートリッジ１０の組立時において、リールハブ２２の底壁２８の上面に設けられる解除部材９０の安定性を良好に確保することができるので望ましい。
【００６９】
また、図１０で示すように、この第２実施例において、リールハブ２２と下フランジ２６を一体成形するためのゲート（ゲート跡Ｇ）は、リールプレート４６が固着されない底壁（底部）２８の上面（内面）の中央とされてもよい。この場合は、底壁２８の上面のゲート（ゲート跡Ｇ）の周囲に、ゲート跡Ｇが底壁２８の上面から突出しないようにするための平面視円形状の凹部２８Ｂが形成される。
【００７０】
このように、ゲート（ゲート跡Ｇ）を底壁２８の上面に設けると、リールプレート４６の中心に、底壁２８の変形要因となる（ゲートが底壁２８の下面の場合、それを避けるために必要となる）貫通孔４６Ａ（図９参照）を形成しなくて済むので、即ち中心に貫通孔４６Ａが形成されていないリールプレート４６をインサート成形することができるので、中心に貫通孔４６Ａが形成されているリールプレート４６をインサート成形したときに比べて、リールハブ２２の底壁２８の上面における平面性を向上させることができる。
【００７１】
つまり、このような構成にすると、記録テープカートリッジ１０の組立時において、リールハブ２２の底壁２８の上面に設けられる解除部材９０の安定性を更に良好に確保することができる。なお、図示しないが、リールハブ２２の底壁（底部）２８の上面（内面）には、解除部材９０の高さを規定する凸部２５及び凸部２７の両方を共に形成しても構わない。
【００７２】
以上、説明したように、リールハブ２２の底壁（底部）２８の上面（内面）に、解除部材９０の高さを規定する凸部２５、２７を形成したので、記録テープカートリッジ１０の組立時において、解除部材９０を安定してリールハブ２２内（底壁２８の上面）に設けることができる。したがって、制動部材８０も安定して設けることができ、記録テープカートリッジ１０の組立後において、解除部材９０及び制動部材８０を安定して上下動させることができる。これにより、制動ギア８４と係合ギア４８との噛合及び噛合解除が確実にできる。
【００７３】
また、上記実施例の記録テープカートリッジ１０では、リーダー部材としてリーダーピン３０を有する構成としたが、記録テープカートリッジ１０は、上記実施例に限定されるものではなく、例えばリーダー部材としてリーダーテープ（図示省略）を有する構成としてもよい。更に、記録テープＴは、情報の記録及び記録した情報の再生が可能な長尺テープ状の情報記録再生媒体として把握されるものであれば足り、本発明に係る記録テープカートリッジ１０が、如何なる記録再生方式の記録テープＴにも適用可能であることは言うまでもない。
【図面の簡単な説明】
【００７４】
【図１】記録テープカートリッジの概略斜視図
【図２】記録テープカートリッジを上方から見た場合の概略分解斜視図
【図３】記録テープカートリッジを下方から見た場合の概略分解斜視図
【図４】第１実施例のリールハブの底壁上面の構成を示す概略斜視図
【図５】解除部材を備えた第１実施例のリールハブの構成を示す概略断面図
【図６】（Ａ）第１実施例のリールハブの概略平面図、（Ｂ）第１実施例のリールハブの概略底面図
【図７】解除部材の概略底面図
【図８】第２実施例のリールハブの底壁上面の構成を示す概略斜視図
【図９】解除部材を備えた第２実施例のリールハブの構成を示す概略断面図
【図１０】解除部材を備えるとともにゲートが底壁上面に形成された第２実施例のリールハブの構成を示す概略断面図
【符号の説明】
【００７５】
１０  記録テープカートリッジ
１２  ケース
２０  リール
２２  リールハブ（ハブ）
２４  上フランジ
２５  凸部
２６  下フランジ
２７  凸部
２８  底壁（底部）
２９  貫通孔
３０  リーダーピン
４４  リールギア
４６  リールプレート
４７  小孔
４８  係合ギア（係合部）
５０  ドア
７０  ライトプロテクト
８０  制動部材
８２  解除突起
８４  制動ギア
９０  解除部材
９２  貫通孔
９４  脚部
９５  凹部
９６  支持凸部
Ｇ  ゲート跡
Ｔ  記録テープ
【図１】
0004879850.tif 000002
【図２】
0004879850.tif 000003
【図３】
0004879850.tif 000004
【図４】
0004879850.tif 000005
【図５】
0004879850.tif 000006
【図６】
0004879850.tif 000007
【図７】
0004879850.tif 000008
【図８】
0004879850.tif 000009
【図９】
0004879850.tif 000010
【図１０】
0004879850.tif 000011